(57)【要約】【課題】著作権で保護された情報の選択、発注、アクセス、および表示を、印刷された出版物や商業広告などの物理的文書から行うためのシステム、方法、およびコンピュータ・プログラムを提供すること。【解決手段】本発明により、に、電子情報の著作権を尊重しながら、物理的出版物上で参照される電子情報の管理および販売が、編集者から流通の終端の消費者とで直接できるようになる。本発明によれば、特定の複数のアイテム（すなわち、単語、図、ロゴなど）が物理的文書上で定義されている。こうしたアイテムを、章、注釈、図、ビデオまたはオーディオ要素など、著作権で保護されたハードコピーまたはソフトコピーの編集オブジェクトにリンクする。物理的文書で定義したアイテムを識別および選択するために、こうしたアイテムを、オプト・タッチ・フォイルの生成する光信号（またはライティング・スポット）によって自動的に光らせる。オプト・タッチ・フォイルは、ユーザ・ワークステーションの制御のもとで動作する。ユーザは、発光アイテムの選択を、オプト・タッチ・フォイルのアイテムの発光位置を押圧することによって行う。ユーザが発光アイテムすべてのうちで特定のアイテムを選択すると、ユーザ・ワークステーションが、オプト・タッチ・フォイルから選択アイテムの位置を示す信号を受け取る。ユーザ・ワークステーションにより、選択アイテムの位置に関連付けられている編集オブジェクトが、編集オブジェクト・テーブルを参照して識別され検索される。ユーザがすでに編集オブジェクトのライセンスを有し、かつこの編集オブジェクトがすでにユーザ・ワークステーションに保存してある場合には、この編集オブジェクトはローカルにアクセスされる。ユーザが編集オブジェクトの著作権を有していない場合は、選択した編集オブジェクトの説明および発注情報を得るために、リクエストがネットワークを通して編集オブジェクト・サーバへと送信される。そのとき、編集オブジェクトのダウンロードおよびローカルな保存は有料で行われる。
2006508425.tif 000002
【特許請求の範囲】
【請求項１】
編集オブジェクトの選択、発注、アクセスを物理的文書から行う方法であって、ユーザ・システムでの使用において、
ＬＥフォイル上の発光位置に対応するアイテムを含む物理的文書の選択した部分の上または下に重ねて位置合わせされたＬＥフォイル上で選択したポイントの位置を決定するステップと、
前記ＬＥフォイル上で選択したポイントの位置に対応して前記物理的文書に関連付けられているアイテムであって、前記物理的文書の選択した部分にあるアイテムの位置の指標を含む編集オブジェクト・テーブルを参照し、選択アイテムを識別するステップと、
前記編集オブジェクト・テーブル内の編集オブジェクトに関連付けられている、前記編集オブジェクト・テーブルを参照する前記選択アイテムに関連付けられている編集オブジェクトを識別するステップと、
識別された編集オブジェクトに対して、
前記編集オブジェクト・テーブルを参照して、ユーザが前記編集オブジェクトを使用またはコピーするためのライセンスを有するかどうかを判断するステップと、
前記ユーザが前記編集オブジェクトを使用またはコピーするためのライセンスを有していない場合に、
ライセンスに対する発注書を編集オブジェクト・サーバに送るステップと、
ライセンス付きの前記編集オブジェクトを受け取るステップと、
前記編集オブジェクトを保存するステップと、
前記編集オブジェクト・テーブルを前記編集オブジェクトにアクセスする手段によって更新するステップと、
前記編集オブジェクト・テーブル内で、前記ユーザが前記編集オブジェクトを使用またはコピーするためのライセンスを有することを示すステップと
を含む方法。
【請求項２】
前記物理的文書の部分それぞれに対するアイテムのリストおよびアイテムの当該部分における位置の指標を含む前記編集オブジェクト・テーブルを参照する、前記物理的文書の選択した部分に含まれるアイテムの位置を識別するステップと、
前記ユーザ・システムに接続された前記ＬＥフォイル上で光らせるために、前記アイテムの位置を送信するステップと、
を含む、請求項１に記載の方法。
【請求項３】
前記物理的文書を識別するステップと、
前記物理的文書の選択した部分を識別するステップ
を含む、請求項１ないし２のいずれか一項に記載の方法。
【請求項４】
前記物理的文書が、１つまたは複数のページを含む印刷された文書であり、前記文書の部分が、１つのページである、請求項１ないし３のいずれか一項に記載の方法。
【請求項５】
前記物理的文書の前記選択した部分を識別する前記ステップが、
前記ユーザ・システムからアクセス可能な編集オブジェクト・サーバから、前記物理的文書に関連付けられている編集オブジェクト・テーブルを取り出すステップと、
前記取り出した編集オブジェクト・テーブルを前記ユーザ・システムに保存するステップと
を含む、請求項１ないし４のいずれか一項に記載の方法。
【請求項６】
前記ＬＥフォイルがオプト・タッチ・フォイルの一部であり、前記オプト・タッチ・フォイルは１枚のタッチ・フォイルおよび１枚のＬＥフォイルを含み、前記オプト・タッチ・フォイルを選択アイテムに対応するポイントで押圧する、請求項１ないし５のいずれか一項に記載の方法。
【請求項７】
ライセンスに対する前記発注書が、要求される支払データを含む、請求項１ないし６のいずれか一項に記載の方法。
【請求項８】
ライセンスに対する発注書を編集オブジェクト・サーバに送る前記ステップが、
前記編集オブジェクト・サーバに、前記編集オブジェクトに関する情報に対するリクエストを送信するステップと、
前記リクエストした情報を前記編集オブジェクト・サーバから受け取るステップと、
前記編集オブジェクトに関する前記受け取った情報を表示または再生するステップと
を含む、請求項１ないし７のいずれか一項に記載の方法。
【請求項９】
前記リクエストした情報が、
ライセンス許諾の条件、および
価格および発注の情報
を含む、請求項１ないし８のいずれか一項に記載の方法。
【請求項１０】
前記編集オブジェクト・テーブルを参照して、ユーザが前記編集オブジェクトを使用またはコピーするためのライセンスを有するかどうかを判断する前記ステップが、
前記ユーザが前記編集オブジェクトを使用またはコピーするためのライセンスを有する場合に、
前記編集オブジェクト・テーブルを参照して、前記編集オブジェクトにアクセスする手段を取り出すステップと、
前記編集オブジェクトにアクセスするステップと
をさらに含む、請求項１ないし９のいずれか一項に記載の方法。
【請求項１１】
ライセンス付きの前記編集オブジェクトを受け取る前記ステップが、
ライセンス付きの前記編集オブジェクトを前記編集オブジェクト・サーバから受け取るステップ
を含む、請求項１ないし１０のいずれか一項に記載の方法。
【請求項１２】
前記編集オブジェクトが、物理的オブジェクトまたは電子的オブジェクトである、請求項１ないし１１のいずれか一項に記載の方法。
【請求項１３】
請求項１ないし１２のいずれか一項に記載の方法を実行するように適合された手段を含むユーザ・システム。
【請求項１４】
物理的文書の部分の上または下に重ね、位置合わせを行うためのＬＥフォイルと、
請求項１ないし１３に記載のユーザ・システムと、
前記ＬＥフォイルと前記ユーザ・システムの間の接続と
を含むシステム。
【請求項１５】
請求項１３に記載のユーザ・システム上で実行すると、請求項１ないし１２のいずれか一項に記載の方法を実行するように適合された命令を含む、コンピュータ・プログラム。
【発明の詳細な説明】
【技術分野】
【０００１】
本発明は、一般に、対話型ハイパーメディア、電子出版システム、および著作権保護に関する。より詳細には、本発明は、著作権で保護された情報の選択、発注、入手、および表示を、印刷出版物または商業広告のような物理的文書から行うための方法、システム、およびコンピュータ・プログラムに関する。
【背景技術】
【０００２】
消費者向けの書籍、新聞、および雑誌を含む出版製品の多くは、２つの市場を対象としている。出版業者は、単に製品を読者に販売しているだけでなく、実は、読者の注意を広告主または情報の供給者に販売しているのである。出版業者にとって、広告宣伝費の増加およびシェアは重要である。この業界では、競争力は、多くの場合、広告料をどれだけ集めることができるかどうかによって決まるということができる。
【０００３】
新聞、雑誌、書籍のような出版物は、今日、主に小売店、ダイレクト販売、および定期購読によって、消費者に提供される。新聞および雑誌は、一般に、エンド・ユーザに直接に販売されるか、または仲介業者を介して販売されており、その流通プロセスには、普通、小売販売は含まれていない。新聞および雑誌は、非常に迅速かつ短期間で配達しなければならず、そうしなければ価値のないものになってしまう。出版業者から読者までの配達時間を最小にし、早朝の読者を確保して、流通経路上のロスを低減し、返品される（パルプにされてしまう）部数を減少させて廃品を削減しなければならない。
また、消費者向けの書籍は、印刷の経済原理から初版部数が需要の見積りに基づいて決められていることもあって、廃品となりやすい。
【０００４】
出版業界の特徴の１つは、出版物のほとんどをデジタル形式で提供できることである。いくつかのケースでは、電子形式またはデジタル形式が、すでに物理形式（たとえば、一部の雑誌および名簿）に取って代わっている。その他のケースでは、出版物の電子形式と物理形式が相補的であることがある（たとえば、専門的な雑誌、新聞およびビジネス向けの雑誌および新聞）。しかし、ほとんどの場合では、物理形式が依然として支配的である（たとえば、消費者向けの雑誌および書籍）。実際、一般に購読の対象である雑誌および名簿を除き、ほとんどの出版業者は、大きな利益を生み出す収益性のあるデジタル製品を作り出すことができていない。
【０００５】
出版業界では、価値の創造は主に印刷形式の製品に関するものである。しかし、ここ２、３年で、電子出版に代表される潜在的な脅威および機会が繰り返し調べられてきた。電子出版は、出版業者にとって、特に流通コストの低減、従来は非採算であった地域におけるマーケットの創造、革新的な製品およびサービスによる新たな利益の創造の点において、巨大な可能性をもつということが広く認識されている。
【０００６】
ここ数年の間、出版企業の内部では、バリュー・チェーンの変化を評価するために具体的な技術が展開されてきている。こうした技術のうち、最も注目すべきものとして、次のようなものがある。
・インターネット：今日、出版業界で（たとえば、コンテンツ配布のために）最も広く展開されている技術である。
・ｅ−コマース・システム：電子商取引によって、受注、決済をするためにオンラインで取次業者および顧客とやり取りすることが可能とする。
・ＣＭＳ（コンテンツ・マネジメント・システム）：出版物の再利用、改変、異なる形式（たとえば、ＨＴＭＬ、ＰＤＦ、ＸＭＬなど）の作成を、印刷物、ウェブ、およびＣＤ−ＲＯＭなどの複数の媒体において可能にする。
・著作権管理システム：出版物の内容に関する権利およびライセンスを記録することを可能にする。インターネットなど新たに出現した通信メディアを考えると、著作権は著作者および出版業者にとって管理がますます重要かつ複雑になる。著作権管理システムは、暗号化方法を組み込んで、海賊版を防止することができる。
【０００７】
出版業界は、編集および制作のプロセス、販売およびマーケティング、ならびに発注プロセスのためのｅ−コマースおよびｅ−ビジネスの可能性に強い関心を持っている。多くの出版業者が、その競争力を高めるためにこうした新しい技術に基づいて新たな製品およびサービスを作り出すことを望んでいる。
【０００８】
今日、インターネットおよびモバイル通信が広く活用されることによって、出版業者には、電子メディアと印刷媒体を組み合わせ、「メディア適応マルチメディア（media-adaptive multimedia）」製品を作り出す新たな機会が提供されている。「メディア適応マルチメディア」の概念の背後にある哲学は、情報は、消費者にその（マルチメディア）要件に適合できる形式で伝えられなければならない、というものである。実際、今日、従来の印刷された製品、デジタル的に印刷された製品、マルチメディア製品、および電子的通信を組み合わせ統合して、消費者の要件を満たすことが必要とされている。このため、デジタル・オブジェクトと印刷物の共通利用は、出版業界一般にとって重要な問題であると考えられる。
【０００９】
出版業界の大部分で、競争力が、広告の誘致、追加的な編集コンテンツ（特にデジタル・コンテンツ）の販売能力に依存し、またほとんどの出版物が印刷媒体で流通するので、印刷媒体から、電子的な編集コンテンツに直接にアクセスすることが必要とされている。
【００１０】
しかし、著作権者と著作物の利用者の間の対立は、マルチメディア媒体および電子的媒体の出現によって劇的に増加している。新聞、書籍、雑誌などの印刷媒体で出版された著作物は、ほとんどの場合、電子的フォーマットでも利用可能である。実際、世界中でデジタル情報の利用の増加により、著作物の流通は、出版業者および著作者にとって重大な関心事となっている。
【００１１】
したがって、出版業界における「メディア適応マルチメディア」の進展を促すため、追加情報の流通および商業利用に関して、著作権を保護しつつ、印刷文書から、追加情報、特に電子情報への直接のアクセスを行うことが必要とされている。
【特許文献１】米国特許第５７６８４２６号
【特許文献２】米国特許第６３１１２１４号
【特許文献３】米国特許第６４０８３３１号
【特許文献４】米国特許第６３４５１０４号
【非特許文献１】インターネット＜URL: http://www.digimarc.com/dmb/software.htm＞
【非特許文献２】インターネット＜URL:http://www.xrce.xerox.com/publis/cam-trs/html/＞
【非特許文献３】インターネット＜URL:http://www.microtouch.com/＞
【非特許文献４】インターネット＜URL:http://www.universaldisplay.com/toled.html＞
【非特許文献５】インターネット＜URL:http://www.bluetooth.com/＞
【発明の開示】
【発明が解決しようとする課題】
【００１２】
本発明の目的の１つは、印刷されたオブジェクト、デジタル・オブジェクト、マルチメディア・オブジェクトの統合を、オブジェクトの著作権を尊重しながら行うことである。
【００１３】
本発明の他の目的は、印刷出版物で参照される著作権で保護された編集オブジェクトに関する説明および価格情報の識別、選択、入手を個別に行うこと、および前記編集オブジェクトの発注、入手、アクセスを印刷出版物から行うことである。
【００１４】
本発明の他の目的は、オリジナルの印刷出版物の完全性を維持すること、および著作権で保護された追加的情報にアクセスするために出版物に印刷されたコードを手作業で保存することによって生じる誤り、間違いを避けることである。
【課題を解決するための手段】
【００１５】
本発明は、著作権で保護された情報の選択、発注、アクセス、および表示を、印刷出版物や商業広告などの物理的文書から行うためのシステム、方法、およびコンピュータ・プログラムを開示する。本発明により、に、電子情報の著作権を尊重しながら、物理的出版物上で参照される電子情報の管理および販売が、編集者から流通の終端の消費者とで直接できるようになる。本発明によれば、特定の複数のアイテム（すなわち、単語、図、ロゴなど）が物理的文書上で定義されている。こうしたアイテムを、章、注釈、図、ビデオまたはオーディオ要素など、著作権で保護されたハードコピーまたはソフトコピーの編集オブジェクトにリンクする。物理的文書で定義したアイテムを識別および選択するために、こうしたアイテムを、オプト・タッチ・フォイルの生成する光信号（またはライティング・スポット）によって自動的に光らせる。オプト・タッチ・フォイルは、ユーザ・ワークステーションの制御のもとで動作する。ユーザは、発光アイテムの選択を、オプト・タッチ・フォイルのアイテムの発光位置を押圧することによって行う。ユーザが発光アイテムすべてのうちで特定のアイテムを選択すると、ユーザ・ワークステーションが、オプト・タッチ・フォイルから選択アイテムの位置を示す信号を受け取る。ユーザ・ワークステーションにより、選択アイテムの位置に関連付けられている編集オブジェクトが、編集オブジェクト・テーブルを参照して識別され検索される。ユーザがすでに編集オブジェクトのライセンスを有し、かつこの編集オブジェクトがすでにユーザ・ワークステーションに保存してある場合には、この編集オブジェクトはローカルにアクセスされる。ユーザが編集オブジェクトの著作権を有していない場合は、選択した編集オブジェクトの説明および発注情報を得るために、リクエストがネットワークを通して編集オブジェクト・サーバへと送信される。そのとき、編集オブジェクトのダウンロードおよびローカルな保存は有料で行われる。
【００１６】
より詳細には、本発明は、特許請求の範囲の独立請求項において定義されるように、編集オブジェクトの選択、発注、アクセスを物理的文書から行うためのシステム、方法、およびコンピュータ・プログラムを対象とする。その方法は、ユーザ・システムでの使用において、
ＬＥフォイル上の発光位置に対応するアイテムを含む物理的文書の選択した部分の上または下に重ねて位置合わせされたＬＥフォイル上で選択したポイントの位置を決定するステップと、
前記ＬＥフォイル上で選択したポイントの位置に対応して前記物理的文書に関連付けられている、前記物理的文書の選択した部分にあるアイテムの位置の指標を含む編集オブジェクト・テーブルを参照し、選択したアイテムを識別するステップと、
前記編集オブジェクト・テーブル内の編集オブジェクトに関連付けられている、前記編集オブジェクト・テーブルを参照する選択アイテムに関連付けられている編集オブジェクトを識別するステップと、
識別された編集オブジェクトに対して、前記編集オブジェクト・テーブルを参照して、ユーザが前記編集オブジェクトを使用またはコピーするためのライセンスを有するかどうかを判断するステップと、
前記ユーザが前記編集オブジェクトを使用またはコピーするためのライセンスを有していない場合に、
ライセンスに対する発注書を編集オブジェクト・サーバに送るステップと、
ライセンス付きの前記編集オブジェクトを受け取るステップと、
前記編集オブジェクトを保存するステップと、
前記編集オブジェクト・テーブルを前記編集オブジェクトにアクセスする手段によって更新するステップと、
前記編集オブジェクト・テーブル内で、前記ユーザが前記編集オブジェクトを使用またはコピーするためのライセンスを有することを示すステップと
を含む。
【００１７】
以上は、この発明の他の目的、機能、および利点とともに、明細書、特許請求の範囲、および図面を参照してより良く理解することができる。
【００１８】
本発明の特徴と考える新規かつ発明性のある特徴を特許請求の範囲に記載する。しかし、本発明、好ましい使用の形態、さらなる目的および利点は、以下の例示的な詳細な実施形態の説明を、添付の図面と併せ読んで参照することによって最も良く理解することができるだろう。
【発明を実施するための最良の形態】
【００１９】
本発明は、出版された文書の知的資産を異なる流通および商業的利用の形態に応じて管理する方法およびシステムを対象とする。そのような文書は、他の出版された文書にまとめることができる。たとえば、１の書籍は、分離して販売される章または注釈あるいはその両方あるいは図を伴うことができる。そのような販売は、ｅ−コマースまたはｅ−ビジネスの販売および流通システムを用いて行うことができる。書店または任意の商店で陳列される１の書籍から、顧客は、特定の章、表、図などを分離して購入することができる。そのように分離された文書は、どのような手段によっても支払うことができ、インターネットを通して顧客の指定する、たとえば以下のようなアドレスへと送ることができる。
・顧客自身のアドレス
・顧客以外の人のアドレス（たとえば、友人への贈り物として）
・一群の人のアドレス（たとえば、文書をある企業の従業員またはある大学の学生に配布するため）
【００２０】
一般に、外的なデジタル文書と物理的文書の対応付けには、デジタル・データの光学的センシングおよびデコードに基づく技法が使用される。データが（たとえば、バー・コードによって）可視的にエンコードされる技法や、透かし（watermarks）または知覚されない状態（subliminal）のキャリブレーション・パターンを埋め込むのに使用する技法と類似の技法により、物理的文書上にステガノグラフィとして（steganographically）コード化されている。このようなシステムの例は、以下の特許において開示されている。
【００２１】
「埋め込みコード信号を使用したグラフィックス処理システム（Graphicsprocessing system employing embedded code signals）」を発明の名称とする米国特許第５７６８４２６号には、識別コード信号の（電子的データ信号や物理的媒体などの）識別すべき搬送波への追加を、識別信号を後で見分け、搬送波を識別することが可能な形で行うシステムが開示されている。
【００２２】
「デジタル・データの光学的センシングに基づくコンピュータのリンク（Linkingof computer based on optical sensing of digital data）」を発明の名称とする米国特許第６３１１２１４号には、郵便物、書籍、印刷広告、名刺、製品パッケージなどの印刷オブジェクトを、複数ビットのデータによってステガノグラフィとしてエンコードするシステムが開示されている。オブジェクトを光学センサに提示すると、複数ビットのデータが、デコードされ、そのオブジェクトに対応するインターネット・アドレスへのリンクを確立するのに使用される。
【００２３】
「暗号化されたグラフィックスを用いたコンピュータ・リンク方法（Computer linking methods using encoded graphics）」を発明の名称とする米国特許第６４０８３３１号には、データ・オブジェクトがグラフィックスと、ネットワーク・ノードのＵＲＬアドレスなどの埋め込まれたリンク情報をともに含み、それにより、グラフィック・オブジェクトをインターネット・ブラウザなどの使用できるリンクとして使用することが可能になっている。
【００２４】
「セキュリティ文書のためのデジタル透かしおよび方法（Digitalwatermarks and methods for security documents）」を発明の名称とする米国特許第６３４５１０４号では、セキュリティ文書（たとえば、パスポート、通貨、入場券（eventtickets）など）をエンコードして、機械可読の複数ビットのバイナリ情報（たとえば、デジタル透かし）を伝達することを、それを見る人間が情報の存在に普通気付かないような形で行うシステムが扱われている。文書は、顕在の（overt）または知覚されない（subliminal）キャリブレーション・パターン付きで提供することができる。そのようなパターンの組み込まれた文書を（たとえば、コピー機で）スキャンすると、そのパターンにより、エンコードされた情報の検出が容易になる。
【００２５】
デジタル透かしを画像に埋め込むための製品、およびそれを検出するための手段が、ディジマーク社のMediaBridge（商標）である。MediaBrigeについては、ディジマーク社のウェブ・ページ（http://www.digimarc.com/dmb/software.htm）で説明されている。
【００２６】
本明細書の参照文献において記載されているシステムおよび方法は、コード、パターン、または透かしを印刷物上に埋め込むために、特別のエンコードおよび印刷の技法を必要とするという共通の課題を有する。こうした技法は、印刷業界では標準的なものとはいえない。オリジナルの文書にコード化された情報を印刷して改変することが必要となるので、文書の完全性、または可読性にまで影響を及ぼし、実際に大きな課題となる。さらに、エンド・ユーザは、こうした技法を用いて埋め込まれた情報を印刷出版物から見つけ出して、感知し、デコードするために、デジタル・スキャナや光学センサなどの特別なインターフェースを準備しなければならない。
【００２７】
デジタル・オブジェクトと印刷オブジェクトをリンクするためのかなり異なったアプローチが、ランク・ゼロックス（Ｒ）ユーロパーク製のDigitalDesk（商標）であり、ゼロックス社の発行する技術文書で説明され、ウェブ・ページ（http://www.xrce.xerox.com/publis/cam-trs/html）で利用することができる。DigitalDeskの背後にある考えは、基本的には、「コンピュータをデスクのように動作させるのではなく、デスクをコンピュータのように動作させる」ということである。そのために、DigitalDeskは普通の物理的なデスクのまわりに作られている。DigitalDeskは、普通の物理的なデスクとしても使用できるが、それ以上の機能を備えている。ビデオ・カメラがデスクの上方に、下の作業面に向けて設置してある。カメラの出力は、システムに接続され、システムは、デスクの表面の上に置かれた文書を認識でき、ユーザが（ＬＥＤが先に付いたペンで）どこをポイントしているかを検出することができる。より進んだバージョンは、デスクの上方に設置したコンピュータ駆動のプロジェクタを備えている。このプロジェクタによって、電子的オブジェクトを現実の紙の文書の上に投影することができる。画面と紙の間で注意を切り替えなければならない負担が取り除かれ、追加のユーザ対話技法が可能となる。
【００２８】
このシステムの主な課題は、デスクの上方のビデオ・カメラやプロジェクタなどのスペースを消費する静的で可搬性のないインターフェース要素の使用が必要となることである。こうした要素は、可搬性を備えるモバイル環境では使用することができない。
【００２９】
本発明により、本明細書で言及したシステムの課題が解決される。本発明により、トランザクションを実行するために、著作権で保護されたデジタル文書への物理的文書の関連付けを、デジタル文書の著作権を尊重しながら行う解決手段が提供される。
【００３０】
本発明によれば、
実世界（印刷された書籍）と仮想世界（デジタル的にコード化された電子情報）を相互に統合することが可能になる。たとえば、図書館にいる読者は、デジタル文書を印刷された文書の上で参照し、デジタル文書を印刷された文書から検索することができる。
【００３１】
本発明によれば、
物理的文書で参照されるデジタル文書の管理および販売を、編集者から消費者（エンド・ユーザ）に対して、デジタル文書の著作権のコントロールしつつ、直接行うことができる。
【００３２】
本発明によれば、物理的文書から、著作権で保護されたデジタル文書を識別する情報の自動的なキャプチャができるようになり、デジタル文書の管理および電子商取引が容易になる。
【００３３】
本発明によれば、紙の上に印刷してあるデジタル文書の識別コードを手作業でキャプチャする必要がなくなり、誤りおよび間違いが防止される。
【００３４】
好ましい実施形態では、システムは次のものを含む。
（１）オプト・タッチ・フォイル
オプト・タッチ・フォイルは、好ましくは透明で、ユーザが物理的文書または物理的文書の一部（好ましくは出版物または出版物の一ページ）の上にまたは下に置かれる。オプト・タッチ・フォイルは、以下のために使用される。
・アイテム（好ましくは、印刷アイテム）を物理的文書の表面の上で光らせ、ハイライトすること
・アイテムの座標を読み取ること
（２）
ユーザ・ワークステーション
ユーザ・ワークステーションは、以下を実現するためのものである。
・ユーザが物理的文書で選択アイテムに関する編集オブジェクトにアクセスすること
・所望の編集オブジェクトを注文すること
・編集オブジェクトを保存すること
・編集オブジェクトをその物理的文書からブラウズすること
（３）
サーバ
サーバは、主として、複数の編集オブジェクトのリポジトリとして動作し、消費者は、支払いの後で編集オブジェクトをサーバからダウンロードすることができる。
【００３５】
各アイテム（出版物に印刷された単語、図、ロゴなど）は、著作権で保護された編集オブジェクト（すなわち、章、注釈、図、ビデオまたはオーディオ要素、ハードコピーまたはソフトコピー）にリンクされている。アイテムを識別し選択するために、オプト・タッチ・フォイルの生成する光信号（またはライティング・スポット）がアイテムを自動的に光らせる。オプト・タッチ・フォイルは、ユーザ・ワークステーションの制御下で動作する。ユーザは、発光アイテムの選択を、オプト・タッチ・フォイルを押圧することによって行う。ユーザが、発光アイテムすべてのうちの１つ選択すると、ユーザ・ワークステーションは、オプト・タッチ・フォイルから、選択アイテムの位置を示す信号を受け取る。ユーザ・ワークステーションは、編集オブジェクト・テーブルを参照して、選択アイテムの位置に関連付けられている編集オブジェクトを識別し検索する。
【００３６】
ユーザが、編集オブジェクトをコピーし使用するライセンスを有し、かつ、編集オブジェクトがすでにそのワークステーションに保存してある場合は、この編集オブジェクトがローカルにアクセスされる。
ユーザが、編集オブジェクトに関する著作権を有していない場合は、編集オブジェクトの説明と注文情報とを得るために、リクエストがネットワークを通して編集オブジェクト・サーバへと送られる。
【００３７】
好ましい実施形態では、ユーザ・ワークステーションは、インターネットに接続されており、ウェブ・ブラウザ・アプリケーションを含んでいる。特定の一実施形態では、オプト・タッチ・フォイルは、タッチ・スクリーンの製造に通常使用するタイプの透明な抵抗性または容量性のフィルムを、透明有機ＬＥデバイス・フィルム（ＴＯＬＥＤ（transparent organic light emitting device）フィルム）の上に重ねることによって作られる。
【００３８】
（著作権で保護された編集オブジェクトの選択、発注、入手、アクセス、および表示を物理的文書から行うためのシステム）
図１に示すように、本発明によるシステムは、下記の要素を含む。
・
物理的文書（１００）（好ましくは１以上のページを含む印刷出版物（たとえば、印刷された書籍、カタログ））
・
透明なオプト・タッチ・フォイル（１０１）で作られた物理的文書インターフェース
・
オプト・タッチ・フォイル・インターフェース（１０１）および通信ネットワーク（１０５）（たとえば、インターネット）に接続されたユーザ・ワークステーション（１０３）
・
編集オブジェクト・サーバ（１０６）
【００３９】
（物理的出版物）
物理的文書（１００）は、どのような種類の出版物であってもよい。すなわち、たとえば、新聞、地図、小説、テキスト、技術的文書、商業カタログ、あるいは、出版物、ＣＤ（Compact Discs、コンパクト・ディスク）、ＤＶＤ（Digital Video Discs、デジタル・ビデオ・ディスク）、高品質画像（pictures）、コンピュータ・ソフトウェア、または、物理的文書もしくは出版物とは別に販売されるソフトコピー文書の、他のどのようなタイプのハードコピーなど、著作権で保護されたまたはライセンスされた編集オブジェクトに関する、アイテム、好ましくは単語、フレーズ、ロゴ、または図などの印刷アイテムを含む、他のどのようなタイプの出版物でもよい。
【００４０】
（オプト・タッチ・フォイル）
オプト・タッチ・フォイル（１０１）は、機能的に独立した２枚の透明フォイルを含む。すなわち、オプト・タッチ・フォイル（１０１）は、
タッチ・フォイル、および
ＬＥフォイル（オプト・フォイル）
を含む。
【００４１】
図１５に、オプト・タッチ・フォイル（１５０）の断面図を示す。オプト・タッチ・フォイルは、次のものを含む。
（１）一般的に、タッチ・スクリーンの製造に使用される、透明な抵抗性または容量性のタッチ・フォイル（１５０１）。生成される信号は、一般に、押圧または接触したポイントの座標に比例する（１５０３）。使用可能なタッチ・フォイル技術の一例が、マイクロ・タッチ社のＴｏｕｃｈＴｅｋ４（４線式アナログ抵抗性タッチ・スクリーン）である（ＴｏｕｃｈＴｅｋ（商標）は、マイクロ・タッチ社の商標）。ＴｏｕｃｈＴｅｋ４に関する技術の詳細な説明は、マイクロ・タッチ社のウェブサイト（http://www.microtouch.com）において入手することができる。
（２）片面または両面から光を発する（１５０４）ことのできる、透明で、高輝度の自発光ディスプレイである、透明ＬＥ（light-emitting）フォイル（１５０２）。ＬＥフォイルは、フロントガラス、コクピット、ヘルメット、および眼鏡の視野領域ディスプレイの製造に今日使用されるタイプの、ＴＯＬＥＤ（TransparentOrganic Light Emitting Devices、透明有機ＬＥデバイス）のアレイで作ることができる。ＴＯＬＥＤディスプレイは、今日、標準的なシリコン半導体によって製造され、通電していないときには８５％までの透明度が可能である。使用可能なＬＥフォイル技術の一例は、ユニバーサル・ディスプレイ・コーポレーション（ＵＮＩＶＥＲＳＡＬ  ＤＩＳＰＬＡＹ  ＣＯＲＰＯＲＡＴＩＯＮ）の製造するＴＯＬＥＤに使用されている技術である。ＴＯＬＥＤ技術の詳しい説明は、
ユニバーサル・ディスプレイ・コーポレーションのウェブサイト（http://www.universaldisplay.com/toled.html）において入手することができる。
【００４２】
両者のフォイルの組み合わせ（すなわち、ＬＥフォイルに重ねたタッチ・フォイル）により、オプト・タッチ・フォイル（１５００）が形成される。図１５は、表面上に印刷（または、手書き、描画、彫刻）された複数のアイテム（１５０６）（すなわち、単語、図、アイコンなど）を含む物理的出版物（１５０５）の上に重ね、位置合わせを行ったオプト・タッチ・フォイルを図示している。
【００４３】
オプト・タッチ・フォイル（１０１）、（１５００）は、ユーザ・ワークステーションとの通信を、赤外線リンク、有線接続、または他の任意の通信手段を介して（たとえば、「Ｂｌｕｅｔｏｏｔｈ  ＳＩＧ」（Bluetooth Special Interest Group）が推進し、Ｂｌｕｅｔｏｏｔｈの公式ウェブサイト（http://www.bluetooth.com/）上に文書化されている、「Ｂｌｕｅｔｏｏｔｈ」仕様の世界中で利用可能な２．４ＧＨｚ帯で動作する無線通信によって）行うことができる。
【００４４】
（ユーザ・ワークステーション）
ユーザ・ワークステーション（１０３）は、以下ののために使用する。
・物理的文書（１００）でユーザが選択した著作権で保護された編集オブジェクトについての情報を得ること
・所望の編集オブジェクトを編集者または出版業者に発注すること
・所望の編集オブジェクトを通信ネットワーク（１０５）（たとえば、インターネット・ネットワーク）に接続された編集オブジェクト・サーバ（１０６）から取り出すこと
・入手した編集オブジェクトを保存すること
・入手した編集オブジェクトを物理的文書（１００）からブラウズすること
【００４５】
ユーザ・ワークステーション（１０３）は、たとえば、インターネットを使用可能な携帯電話、インターネット・アプライアンス、マルチメディア・パーソナル・コンピュータ（ＰＣ）、セット・トップ・ボックス、ウェブＴＶ、ゲーム機、または無線ＩＰ使用可能装置であってもよい。
【００４６】
（編集オブジェクト・サーバ）
編集オブジェクト・サーバ（１０６）は、主として、編集オブジェクト・サーバ（１０６）には、複数の物理的文書（または出版物）からアクセス可能な、ライセンスされたまたは著作権で保護された編集オブジェクト・ファイルが保存されるリポジトリである。消費者は、編集オブジェクト・サーバ（１０６）から編集オブジェクトへのアクセスおよびダウンロードを無料で行うことができる。また、編集オブジェクト・サーバにより、顧客には、物理的文書（または出版物）から選択した編集オブジェクトに関する説明および発注情報が提供される。
【００４７】
（著作権で保護された編集オブジェクトの選択、発注、入手、アクセス、および表示を物理的文書から行うための方法）
図１６に示すように、本発明は、著作権で保護された編集オブジェクトの選択、発注、入手、アクセス、および表示を、（「初期ブリテンの諸王国」と題する図１に示した文書のような）物理的文書（好ましくは、印刷出版物）および商業広告から行うためのシステム、方法、コンピュータ・プログラムを開示する。この方法は、次のステップを含む。
・１つまたは複数のページ（または部分）を含む物理的文書（２００）を識別する（２０４）、（２０５）ステップ（１６０１）。
・それぞれが識別された物理的文書（３０３）に関連付けられている物理的文書の印刷アイテム（５０５）を含む編集オブジェクト・テーブルの編集オブジェクトに関連付けられているページ（または部分）（５０４）、（５０６）を識別するステップ（１６０２）。
・識別されたページ（３２０）に含まれるこれらの印刷アイテム（３１２）の位置（３１１）を識別するステップ（１６０３）。前記編集オブジェクト・テーブルは文書のページ（３２０）ごとに印刷アイテム（３１２）のリストを、また、印刷アイテムごとにその前記ページ上での位置の指標を含む。
・ユーザ・ワークステーションに接続されたオプト・タッチ・フォイル（５０１）を光らせるために、印刷アイテム（５０５）の位置情報を送信するステップ（１６０４）。
・オプト・タッチ・フォイル（４０１）を、文書の選択したページ（４０６）の上に重ね、位置合わせを行う（４０４）ステップ（１６０５）。
【００４８】
方法は、さらに次のステップを含む。
・前記オプト・タッチ・フォイル（６０１）上で押圧した（６０２）ポイントの位置を決定するステップ（１６０６）。ページ上の各印刷アイテム（６０４）は、オプト・タッチ・フォイル上の発光位置に対応し、オプト・タッチ・フォイルを、選択した印刷アイテム（６０５）に対応するポイントで押圧する（６０２）。
・オプト・タッチ・フォイル（６０１）上で押圧したポイント（６０２）の位置に対応する選択アイテム（６０５）を、識別されたページ（３２０）上での各印刷アイテム（３１２）の位置（３１１）の指標を含む編集オブジェクト・テーブル（３００）を参照して識別するステップ（１６０７）。
・選択アイテム（６０５）に対応する編集オブジェクトごとに、ユーザ・ワークステーション（６０３）上のファイル・パス（３１３）があるかどうかを、ユーザ・ワークステーション上に保存してある編集オブジェクトごとに、識別（３１２）およびユーザ・ワークステーション（６０３）上の編集オブジェクトにアクセスするための手段（好ましくはファイル・パス）（３１３）を含む編集オブジェクト・テーブル（３００）を参照して検査するステップ（１６０８）。
・ユーザ・ワークステーション（６０３）上の選択した編集オブジェクトにアクセスするためのファイル・パス（３１３）がある場合、
・ユーザ・ワークステーション（７０３）上の前記編集オブジェクト（７０６）に、前記ファイル・パス（３１３）、（７０７）によってアクセスするステップ、およびユーザ・ワークステーション上の前記編集オブジェクト（７０６）を表示または再生するステップ（１６０９）。
・ユーザ・ワークステーション（８０３）上の選択した編集オブジェクト（８０５）にアクセスするためのファイル・パス（３１３）がない場合、
・編集オブジェクト・サーバ（９０８）に、物理的文書（３０３）、ページ（３２０）、および選択アイテム（３１２）、（９０５）の識別を含む、選択アイテム（９０５）についての（著作権またはライセンス許諾の条件、価格および発注の情報を含む）情報に対するリクエスト（９０６）を送信するステップ（１６１０）。
・ユーザ・ワークステーション（１００３）上で、選択アイテム（１００５）に関連するリクエストした情報（１００９）を編集オブジェクト・サーバ（１００８）から受け取るステップ、および前記情報をユーザ・ワークステーション上に表示するステップ（１６１１）。
・選択アイテム（１００５）に関する情報（１００９）をブラウズするステップ、および自由選択で編集オブジェクト（１２０９）をダウンロードするためのライセンスを購入するために編集オブジェクト・サーバ（１１０８）に選択した物理的文書（３０３）、ページ（３２０）、選択アイテム（３１２）、および出版業者の要求する支払データ（１１１０）、（１１１１）の識別を含む発注書（１１０６）を送るステップ（１６１２）。
・発注した編集オブジェクト（１２０９）を編集オブジェクト・サーバ（１２０８）から受け取る（１２０６））ステップ（１６１３）。
・編集オブジェクトをユーザ・ワークステーション（１２０３）上に保存およびインストールするステップ。
・ユーザ・ワークステーション上に保存した編集オブジェクトごとに、識別（１３０１）および前記所有した編集オブジェクトへのファイル・パス（１３０２）を含む編集オブジェクト・テーブル（１３００）の中に、受け取りインストールした編集オブジェクトへのファイル・パス（１３０２）を識別して入れるステップ（１６１４）。
【００４９】
図２に、ユーザが物理的文書（または出版物）（２００）（たとえば、「初期ブリテンの諸王国」と題する印刷書籍）を選択する様子を示している。任意のユーザ・インターフェース（キーボード、マウスなど）または任意の他の読み取り手段（たとえば、バー・コード・リーダなど）によって、ユーザは文書の参照番号（識別子）（２０４）を入力することができる。図２に示す特定の実施形態では、ユーザは、自分のワークステーションのキーボード（２０３）により、文書の参照番号（２０４）（たとえば、Ｐｕｂ：１７０３０１）の入力（２０５）を行う。この手続により、選択した出版物（２００）に関連付けられている編集オブジェクト・テーブル（２０６）へのアクセス権が得られる。このテーブルは、それ以前にユーザ・ワークステーション（２０３）に保存されている。本発明の好ましい一実施形態では、ユーザは、編集オブジェクト・サーバ（１０６）から、文書（２００）に関連付けられている編集オブジェクト・テーブル（２０６）のコピーをダウンロードする。編集オブジェクト・テーブル（２０６）をダウンロードできる編集オブジェクト・サーバ（１０６）のＵＲＬ（２０７）（たとえば、http://www.virgin.net）は、書籍の販売業者または編集者が提供しなければならない。あるいは、図２に示すように、このＵＲＬは物理的文書（２００）上に印刷（２０７）されていてもよい。
【００５０】
図３に、出版物（２００）に関連付けられた編集オブジェクト・テーブル（３００）の一例を示す。テーブルのヘッダ・セクション（３０１）は、次のものを含む。
・編集オブジェクト・サーバ（１０６）のＵＲＬ（３０２）、（２０７）（たとえば、http://www.virgin.net/）。編集オブジェクト・サーバから、出版物（２００）の編集オブジェクト・テーブル（３００）を入手し、ユーザ・ワークステーション（２０３）に保存することができる。
・出版物番号（３０３）（たとえば、Ｐｕｂ．：１７０３０１）。
・物理的出版物（２００）に関する、以下のような他の関連情報
・題名（３０４）（たとえば、「初期ブリテンの諸王国」）
・著者の氏名（３０５）（たとえば、「英国バークシャー州ビンフィールドのデービッド・ナッシュ・フォード」）
・出版年月日（３０６）（たとえば、「２８／０１／１９９９」（１９９９年１月２８日））
・ＩＳＢＮ（国際標準図書番号）（３０７）（たとえば、「８４−３４４−０８５６−２」）
【００５１】
この例には、また、編集オブジェクト・テーブル（３００）の本体セクション（３１０）の構造を示している。基本的に、物理的出版物（２００）の各ページ（３２０）に対して、編集オブジェクト・テーブル（３００）上の、エントリからなるグループ１つ（３３０）が関連付けられている。このグループに属する各エントリは、そのページ上で特定の印刷アイテムの参照する異なる編集オブジェクトに対応する。具体的には、編集オブジェクト・テーブルでは、編集オブジェクトごとに、以下の３つのフィールドが定義される。
・印刷アイテムのページ上での位置（３１１）
・印刷アイテムの名前（３１２）
・編集オブジェクトにアクセスする手段（ファイルのパス）（３１３）
【００５２】
これらのフィールドに含まれる情報は、以下の用途に使用される。
・印刷アイテムの、そのページ（３２０）上での、位置（３１１）を決定すること、および印刷アイテムの位置を、オプト・タッチ・フォイル（２０１）によって強調すること。オプト・タッチ・フォイルを、物理的出版物（２００）の識別されたページの上または下に重ね、位置合わせを行う。そのページ上の印刷アイテムのそれぞれは、前記オプト・タッチ・フォイル上の強調された位置に対応する。ユーザは、オプト・タッチ・フォイルを、選択した印刷アイテムに対応するポイントで。
・オプト・タッチ・フォイル（２０１）上でユーザがポイントしたポイントの位置に対応する選択した印刷アイテムの名前（３１２）の識別を、編集オブジェクト・テーブル（３００）を参照して行うこと。前記テーブルは、印刷アイテムそれぞれの識別されたページ上での位置（３１１）の指標（indication）を含む。
・選択した印刷アイテム（３１２）に関連付けられた編集オブジェクト（３１３）を識別し見出す（locate）ことを、編集オブジェクト・テーブル（３００）を参照して行うこと。前記テーブルは、その文書の各ページの印刷アイテムごとに、印刷アイテム（３１２）に関連付けられた編集オブジェクト（３１３）の識別および位置を含む。
・ユーザ・ワークステーション上で、印刷アイテム（３１２）に関連付けられた編集オブジェクト（３１３）にアクセスし表示すること。
【００５３】
図４に、ユーザが、物理的文書（または出版物）（４００）のあるページ（４０６）（たとえば、１１５ページ）を選択し、透明なオプト・タッチ・フォイルをその上に重ねて、オプト・タッチ・フォイルと文書の縁どうしの位置合わせを、従来の何らかの方法によって（たとえば、オプト・タッチ・フォイルの左上の隅を出版物のページの左上の隅と合わせることによって）行う様子を示す。
【００５４】
図５に、ユーザが、任意のユーザ・インターフェース（キーボード、マウス、…）または任意の読み取り手段（バー・コード・リーダ、…）によって、ユーザ・ワークステーション（５０３）上で、ユーザが選択しようとする物理的文書（５００）のページ番号（５０４）（たとえば、１１５ページ）を入力する（５０６）様子を示す。ページ番号（３２０）を識別した後、アイテム（３３０）（たとえば、「Celtic gods」（ケルトの神々）、「Avalon」（アバロン）、「Modron」（モドロン）、「Arthur」（アーサー王））の、このページ（３２０）に関して定義されたページ座標（Ｘ，Ｙ）（３１１）が、編集オブジェクト・テーブル（３００）から取り出される。アイテムは、出版物のページの上にあるオプト・タッチ・フォイル（５０１）により、その座標で光るライティング・スポットで強調される。
【００５５】
図６に、ユーザが、物理的出版物（６００）のあるページ（５０４）上で印刷アイテム（６０５）の識別および選択を、前記印刷アイテムの上（または近く）にあるオプト・タッチ・フォイル（６０１）の発するライティング・スポット（またはその近く）を指（６０２）で押圧することによって行う様子を示す。このアクションにより、押圧ポイント（６０２）のオプト・タッチ・フォイル座標（たとえば、Ｘ＝３２；Ｙ＝９７）を用いて、選択アイテム（６０５）（たとえば、「Celtic gods」（ケルトの神々））の識別を、編集オブジェクト・テーブル（３００）内で（たとえば、測定されたオプト・タッチ・フォイル座標（Ｘ＝３２；Ｙ＝９７）から、編集オブジェクト・テーブル（３００）上でこのページ（３２０）に関して定義されている印刷アイテム（３１２）すべての座標までの最小の距離を計算することによって）行う。選択アイテム（６０５）に関連付けられている編集オブジェクト・ファイルへのパス（３１３）は、編集オブジェクト・テーブルを用いて識別する。図６に示す例では、選択した印刷アイテム（「Celticgods」（ケルトの神々））に対応する編集オブジェクト（３１３）へのファイル・パスは、ｃ：＼１７０３０１＼１１５＼ｃｅｌｔｉｃ−ｇｏｄｓ．ｈｔｍｌである。
【００５６】
図７に示すのは、選択した印刷アイテム（３１２）（７０５）（６０５）（たとえば、「Celtic gods」（ケルトの神々））に関連付けられている編集オブジェクトがユーザ・ワークステーション（７０３）に保存されている場合（すなわち、ユーザがライセンスの購入を済ませ、編集オブジェクトの編集オブジェクト・サーバ（１０６）からのダウンロードおよびユーザ・ワークステーション上へのインストールを済ませている場合）に、編集オブジェクト（３１２）に関連付けられているファイル・パス（３１３）を編集オブジェクト・テーブル（３００）内から見つけることができる様子を示している。本例では、選択した編集オブジェクトＨＴＭＬファイル（７０６）「celtic-gods.html」が、直接、ワークステーション（７０３）のローカル・ストレージから、編集オブジェクト・テーブル（３００）内に保存されている編集オブジェクト・ファイル・パス（７０７）、すなわち「ｃ：＼１７０３０１＼１１５＼ｃｅｌｔｉｃ−ｇｏｄｓ．ｈｔｍｌ」を用いて取り出される。次いで、ＨＴＭＬファイル（７０６）はユーザに表示される。
【００５７】
図８に、ユーザが、それに対する著作権またはライセンスを持たない、著作権で保護された編集オブジェクト（８０５）に対応する印刷アイテムを選択している場合を示す。この編集オブジェクトは、編集オブジェクト・サーバ（１０６）上で利用可能であるが、まだユーザ・ワークステーション（８０３）上へはダウンロードされていない。図８に示すように、ユーザは、指でオプト・タッチ・フォイル（８０１）を、物理的出版物（８００）上に印刷された別の印刷アイテム（８０５）（たとえば、「Modron」（モドロン））の上で触れている。前の例と同様に、このアクションにより、選択したアイテム（３１２）（すなわち、「Modron」（モドロン））は編集オブジェクト・テーブル（３００）上で識別されるが、この場合には、関連付けられている編集オブジェクト・ファイル・パス（３１３）はテーブル内には見つからない（すなわち、「Edited_object_not_found」（編集オブジェクトが見つかりません））。警告メッセージ（８０６）（たとえば、「Objectnot found」（オブジェクトが見つかりません））がユーザ・ワークステーション（８０３）上に表示されて、選択アイテム（８０５）が料金の必要な著作権で保護された編集オブジェクトに対応することが示される。ユーザは、自由に選択によって、出版業者または編集者からライセンスを購入して編集オブジェクトのコピー（またはライセンスの取得）を行うことができる。
【００５８】
図９に、図８に示した場合に、ユーザが、選択アイテム（９０５）（たとえば、「Modron」（モドロン））に関連付けられている編集オブジェクトに関するどのような著作権も購入しておらず、かつ、編集オブジェクトを編集オブジェクト・サーバ（９０８）からユーザ・ワークステーション上へ（９０３）ダウンロードしていないと、選択アイテムに関連付けられている編集オブジェクトについての追加の情報（９０６）に対するリクエストが、自動的に通信ネットワーク（９０７）を通してユーザ・ワークステーション（９０３）から編集オブジェクト・サーバ（９０８）へと送信される様子を示す。図９に示す例では、トランザクション
http://www.virgin.net/?&doc=170301&page=115&object="Modron"
は、以下を含み、ユーザ・ワークステーション（９０３）から編集オブジェクト・サーバ（９０８）へと（すなわち、www.virgin.netへと）送られる。
・（出版物の編集オブジェクト・テーブル（３００）のヘッダ（３０１）から抽出された）編集オブジェクト・サーバ（９０８）のＵＲＬ（３０２）（たとえば、www.virgin.net）への参照
・（同様に出版物の編集オブジェクト・テーブル（３００）の同じヘッダ（３０１）から抽出された）出版物番号（３０３）（たとえば、１７０３０１）
・選択ページ番号（３２０）、（９１０）（たとえば、１１５）
・選択アイテムの名前（３１２）、（９０５）（たとえば、「Modron」（モドロン））
【００５９】
図１０に、編集オブジェクト・サーバ（９０８）、（１００８）が、出版物（９０９）のあるページ（９１０）上で参照される特定の印刷アイテム（９０５）に関連付けられている編集オブジェクトについての情報に対するリクエスト（９０６）を受け取ると、この編集オブジェクトの説明および発注または購入の情報（１００６）が編集オブジェクト・サーバ（１００８）上に配置される出版物データベースから取りだされ、ユーザ・ワークステーション（１００３）へと送られる様子を示す。図１０に示す例では、出版物番号１７０３０１の１１５ページで参照される印刷アイテム「Modron」（モドロン）に関する情報に対するリクエスト（９０６）に対して、編集オブジェクト・サーバ（１００８）www.virgin.net上のＵＲＬ（１００６）、
http://www.virgin.net/170301/115/modron-info.html
で見つかるmodron-info.htmlという名前の説明／発注ファイル（thedescription and ordering file）を含む回答がなされる。このファイルは、ユーザ・ワークステーション（１００３）上にインストールされているブラウザ・プログラムを用いて入手し表示する（１００９）ことができる。
【００６０】
図１１に示すのは、ユーザが、物理的出版物上に印刷された選択アイテム（たとえば、「Modron」（モドロン））に関連付けられている著作権で保護された編集オブジェクトに関する説明および発注情報（１００９）を一読したあとで、この編集オブジェクトを発注することに決めた場合、電子フォーム（１１０９）が記入され編集オブジェクト・サーバ（１１０８）へと送られる様子である。図１１に示す例示的な例では、購入トランザクション、すなわち
http://www.virgin.net/?&doc=170301&page=115&objet="Modron"&account=5558397&pin=XXXX
は、以下を識別し、ユーザ・ワークステーション（１１０３）から編集オブジェクト・サーバ（１１０８）（すなわち、www.virgin.net）に送信される。
・出版物番号（３０３）（たとえば、１７０３０１）
・ページ番号（３２０）（たとえば、１１５）
・選択した印刷アイテム（３１２）（たとえば、「Modron」）
・顧客口座番号（１１１０）（たとえば、５５５８３９７）および
・発注に対する請求に必要な、暗証番号（PIN number）（１１１１）（たとえば、ＸＸＸＸ）
【００６１】
図１２に、ユーザが、選択した印刷アイテム（３１２）（たとえば、「Modron」）に対応する著作権で保護された編集オブジェクトにアクセスするために発注を行った場合に、編集オブジェクト・サーバ（１２０８）がトランザクション（１１０６）を検証し受理した場合には、リクエストした編集オブジェクトが複数の編集オブジェクトを含むリポジトリから取り出され、ネットワーク（１２０７）を通して編集オブジェクト・サーバ（１２０８）からユーザ・ワークステーション（１２０８）へとダウンロードされる様子を示す。図１２に示す例では、編集オブジェクト・ファイルModron.docは、編集オブジェクト・サーバ（１２０８）からＵＲＬ（１２０６）、
http://www.virgin.net/170301/155/Modron.doc
を用いて取り出され、パス（１２０９）、
ｃ：＼１７０３０１＼１１５＼Ｍｏｄｒｏｎ．ｄｏｃ
でユーザ・ワークステーション（１２０３）上にダウンロードされ、保存される。
【００６２】
図１３に、ユーザ（１２０５）の選択した印刷アイテム（たとえば、「Modron」）に対応する購入済み編集オブジェクト（たとえば、Modron.doc）のファイルを、編集オブジェクト・サーバ（１２０８）からユーザ・ワークステーション（１２０３）へとダウンロードすると、このファイルをユーザ・ワークステーション上にインストールしたときの編集オブジェクト・ファイルにアクセスするためのファイル・パス（１２０９）（たとえば、ｃ：＼１７０３０１＼１１５＼Ｍｏｄｒｏｎ．ｄｏｃ）が、出版物の編集オブジェクト・テーブル（１３００）内の発注済み編集オブジェクト（１３０１）に対応するファイル・パス・フィールド（１３０２）に記録される様子を示す。
【００６３】
図１４に、選択アイテム（たとえば、「Modron」）に対応するリクエストした編集オブジェクトへの受け取り、およびユーザ・ワークステーション（１４０３）への保存が完了すると（すなわち、編集オブジェクトのコピーを行うためのライセンスの購入後）、物理的出版物（１４００）上に印刷されたこのアイテムをユーザが選択する（１４０２）たびに、対応する編集オブジェクトがユーザ・ワークステーションのローカル・ストレージから取り出され、ユーザ・ワークステーション上に表示される様子を示す。図１４に示す例では、ユーザが、印刷された「Modron」という単語（１４０５）の上（または近く）にあるオプト・タッチ・フォイル（１４０１）の発するライティング・スポットに触れる（１４０２）と、編集オブジェクト・ファイル「Modron.doc」が、ローカル・ストレージから、編集オブジェクト・テーブル（１３００）内に記録されているｃ：＼１７０３０１＼１１５＼Ｍｏｄｒｏｎ．ｄｏｃというファイル・パス（１３０２）、（１４０６）を用いて取り出される。取り出されたファイルは、ユーザ・ワークステーション（１４０３）上に表示される。
【００６４】
以上の説明は、本発明の原理を適用した例示的なものであるに過ぎない。この他の配置および方法を、当業者は本発明の趣旨および範囲から逸脱することなく実現することができる。
【図面の簡単な説明】
【００６５】
【図１】本発明の主要な構成要素を示す図である。
【図２】本発明に従って、ユーザがユーザ・ワークステーション上で文書番号を入力し、そのドキュメントの編集オブジェクト・テーブルにアクセスする様子を示す図である。
【図３】本発明による、文書の編集オブジェクト・テーブルの例を示す図である。
【図４】本発明に従って、ユーザが物理的出版物のあるページを選択し、選択したそのページの上に透明なオプト・タッチ・フォイルを重ねる様子を示す図である。
【図５】本発明に従って、ユーザがページ番号をユーザ・ワークステーション上で入力すると、対応する物理的ページの上にあるオプト・タッチ・フォイルが印刷アイテムを光らせる様子を示す図である。
【図６】本発明に従って、ユーザが指でオプト・タッチ・フォイルを、選択して発光印刷アイテム（たとえば、Celtic gods（ケルトの神々））の上で押圧する様子を示す図である。
【図７】本発明に従って、ユーザがすでにデジタル編集されたオブジェクトのライセンスを購入していると、この編集オブジェクトをユーザ・ワークステーション上で入手し、表示（再生）できる様子を示す図である。
【図８】本発明に従って、ユーザが、別の発光印刷アイテム（たとえば、Modron（モドロン））を選択するために、オプト・タッチ・フォイルを指で押圧する様子を示す図である。
【図９】本発明に従って、選択したデジタル編集されたオブジェクトのライセンスをユーザが購入していないと、情報に対するリクエストが編集オブジェクト・サーバへと送信される様子を示す図である。
【図１０】本発明に従って、ユーザ・ワークステーションが編集オブジェクト・サーバから、選択したデジタル編集されたオブジェクトに対応する説明ならびに価格および注文情報を受け取る様子を示す図である。
【図１１】本発明に従って、ユーザが選択したデジタル編集されたオブジェクトを注文する様子を示す図である。
【図１２】本発明に従って、リクエストしたデジタル編集されたオブジェクトを編集オブジェクトから受け取り、ユーザ・ワークステーション上に保存する様子を示す図である。
【図１３】本発明に従って、リクエストしたデジタル編集されたオブジェクトを受け取ると、その物理的出版物の編集オブジェクト・テーブルをその編集オブジェクトのアドレス（ＵＲＬ、ユニフォーム・リース・ロケータ）で更新する様子を示す図である。
【図１４】本発明に従って、ユーザが購入した編集オブジェクトを選択すると、このオブジェクトが取り出されユーザ・ワークステーション上で表示（または再生）される様子を示す図である。
【図１５】本発明に従って、デジタル編集されたオブジェクトを印刷出版物から選択し取り出すのに使用する、透明なオプト・タッチ・フォイルの動作の原理を示す図である。
【図１６】本発明に従って、印刷出版物および広告から著作権で保護された編集オブジェクトの選択、注文、入手、アクセス、および表示を行う方法のステップを図示する図である。
【図１】
2006508425.tif 000003
【図２】
2006508425.tif 000004
【図３】
2006508425.tif 000005
【図４】
2006508425.tif 000006
【図５】
2006508425.tif 000007
【図６】
2006508425.tif 000008
【図７】
2006508425.tif 000009
【図８】
2006508425.tif 000010
【図９】
2006508425.tif 000011
【図１０】
2006508425.tif 000012
【図１１】
2006508425.tif 000013
【図１２】
2006508425.tif 000014
【図１３】
2006508425.tif 000015
【図１４】
2006508425.tif 000016
【図１５】
2006508425.tif 000017
【図１６】
2006508425.tif 000018
【国際調査報告】
2006508425.tif 000019
2006508425.tif 000020
2006508425.tif 000021